(57)【要約】【課題】光学条件を変更した場合でも、光軸ずれを抑制することを目的とする。【解決手段】一実施形態では、試料（１４）に照射される荷電粒子線（４）を放出する荷電粒子源（１）と、荷電粒子線（４）を所定の縮小率で集束する集束レンズ（７，８）を少なくとも一つ含む集束レンズ系と、前記集束レンズ系のうち最も下流の集束レンズ（８）と荷電粒子源（１）との間に位置し、荷電粒子源（１）の仮想位置を移動させる偏向器（５，６）と、偏向器（５，６）および前記集束レンズ系を制御する制御手段（２０，２１，２２）と、を有し、制御手段（２０，２１，２２）は、前記集束レンズ系の縮小率の変化による、前記集束レンズ系の下流における荷電粒子線（４）の中心軌道のずれを抑制する位置（３６）に、荷電粒子源（１）の仮想位置を移動させるように、偏向器（５，６）を制御する。【選択図】  図４
2020074294.tif 000002
【特許請求の範囲】
【請求項１】
試料に照射される荷電粒子線を放出する荷電粒子源と、
前記荷電粒子線を所定の縮小率で集束する集束レンズを少なくとも一つ含む集束レンズ系と、
前記集束レンズ系と対物レンズとの間に配置されている絞りと、
前記集束レンズ系のうち最も下流の集束レンズと前記荷電粒子源との間に位置し、前記集束レンズ系の集束点を前記対物レンズの光軸から離れる方向に移動可能な偏向器と、
前記偏向器および前記集束レンズ系を制御する制御手段と、を有し、
前記制御手段は、前記集束レンズ系の縮小率の変化による、前記集束レンズ系の下流における前記荷電粒子線の中心軌道のずれを抑制する位置に、前記集束点を移動させるように、前記偏向器を制御することを特徴とする荷電粒子線装置。
【請求項２】
請求項１に記載の荷電粒子線装置であって、
前記制御手段による前記偏向器の制御は、前記集束レンズ系が第一の縮小率を有する場合の前記集束レンズ系の下流における前記荷電粒子線の第一の中心軌道と、前記集束レンズ系が前記第一の縮小率よりも小さな第二の縮小率を有する場合の前記集束レンズ系の下流における前記荷電粒子線の第二の中心軌道を一致させるように行われることを特徴とする荷電粒子線装置。
【請求項３】
請求項１に記載の荷電粒子線装置であって、
前記制御手段による前記偏向器の制御は、前記集束レンズ系が第一の縮小率を有する場合の前記集束レンズ系の下流における前記荷電粒子線の第一の中心軌道に対する、前記集束レンズ系が前記第一の縮小率よりも小さな第二の縮小率を有する場合の前記集束レンズ系の下流における前記荷電粒子線の第二の中心軌道のずれを抑制するように、前記集束点を前記対物レンズの光軸から離れる方向に移動することを特徴とする荷電粒子線装置。
【請求項４】
試料に照射される荷電粒子線を放出する荷電粒子源と、
前記荷電粒子線を所定の縮小率で集束する集束レンズを少なくとも一つ含む集束レンズ系と、
前記荷電粒子線の前記試料への照射条件を調整する調整手段と、
前記試料に前記荷電粒子線をフォーカスする対物レンズと、
前記集束レンズ系と対物レンズとの間に配置されている絞りと、
前記集束レンズ系のうち最も下流の集束レンズと前記荷電粒子源との間に位置し、前記集束レンズ系の集束点を前記対物レンズの光軸から離れる方向に移動可能な偏向器と、
前記荷電粒子線が物体に衝突することにより得られる信号を出力する検出器と、
前記検出器の信号から、前記対物レンズの中心軸と、前記集束レンズ系の下流における前記荷電粒子線の中心軌道との位置関係の情報を収集する信号処理手段と、
ディスプレイと、
前記調整手段および前記偏向器の動作条件を操作する条件操作手段と、を有し、
前記信号処理手段は、前記ディスプレイに、前記信号処理手段で収集された、前記対物レンズの中心軸と、前記荷電粒子線の中心軌道との位置関係の情報を表示させ、
前記信号処理手段は、前記集束レンズ系が第一の縮小率を有する場合の前記集束レンズ系の下流における前記荷電粒子線の第一の中心軌道と、前記集束レンズ系が前記第一の縮小率よりも小さな第二の縮小率を有する場合の前記集束レンズ系の下流における前記荷電粒子線の第二の中心軌道を一致させるように、前記条件操作手段を操作するよう促すユーザーインターフェースをディスプレイに表示することを特徴とする荷電粒子線装置。
【発明の詳細な説明】
【技術分野】
【０００１】
本発明は荷電粒子線装置に関し、特に、光軸ずれを抑制して高輝度像を安定に得るのに好適な荷電粒子線装置に関する。
【背景技術】
【０００２】
走査電子顕微鏡や透過電子顕微鏡に代表される荷電粒子線装置では、静電レンズや電磁レンズなどにより細く集束された荷電粒子線を試料上で走査して、試料から所望の情報（例えば試料像）を得る。
【０００３】
このような荷電粒子線装置では、荷電粒子線の軌道が対物レンズの中心軸から外れた場合（光軸ずれが起こった場合）、レンズの軸外色収差が増大してしまう。収差の増大は、試料像の分解能や解像度を著しく低下させる。また、光軸ずれは、試料像の輝度の低下や、焦点調整の際の視野ずれを生じさせる。
【０００４】
また、荷電粒子源として、タングステンフィラメントに代表される熱電子放出型電子銃を用いる場合、数十〜数百時間程度でフィラメントが切断される。フィラメントが切断された場合、フィラメントの交換作業が発生する。フィラメントの交換前後で、荷電粒子源の位置が変化してしまうため、その位置変化を補正するための軸調整が必要となる。荷電粒子源の位置は試料像を得る際、特に輝度に影響を与える。
【０００５】
タングステンフィラメントではなく、例えば電界放出型電子銃を用いた場合でも同様に、交換作業および交換に伴う軸調整は必要となる。
【０００６】
よって、高分解能かつ高輝度で、視野ずれのない試料像を得るためには、荷電粒子線装置の光軸を、高精度に調整することが必要となる。
【０００７】
従来の軸調整手法として、対物レンズの励磁電流などを周期的に変化させた際の、励磁電流などの変化による試料像などの動きを最小とするように、軸調整用の偏向器（アライナー）の動作条件を手動で調整する手法が知られている。
【０００８】
特開２０００−１９５４５３号（特許文献１）には、対物レンズの２つの励磁条件間で変化する電子線照射位置の推移に基づいて、アライナーの励磁設定値を変更することで、荷電粒子線の光軸を自動で調整する技術が開示されている。
【０００９】
特表２００５−５２１９９０号公報（特許文献２）には、荷電粒子源の下段に設置されたガンアライメントコイルによって、試料像の輝度が高くなるよう、電磁的に荷電粒子源の仮想位置などを自動で調整する技術が開示されている。
【先行技術文献】
【特許文献】
【００１０】
【特許文献１】特開２０００−１９５４５３号公報
【特許文献２】特表２００５−５２１９９０号公報
【発明の概要】
【発明が解決しようとする課題】
【００１１】
本願発明者が、光路に配置された電磁レンズもしくは静電レンズによって一次荷電粒子線の線量を変化させた際に生じる荷電粒子線装置の光軸ずれについて鋭意検討した結果、次の知見を得るに至った。
【００１２】
荷電粒子線装置では、試料に照射する荷電粒子線量の調整などのために、光路上に設置された集束レンズなどの光学条件を変化させる。特に、熱電子放出型電子銃を用いた走査電子顕微鏡では、高分解能を得る場合と、元素分析等で高輝度を必要とする場合とで、集束レンズにおける縮小率を例えば１／３００〜１／３のように大きく変化させる。光学条件を変化させた際には、電子ビームの軌道が変化し、光軸ずれが生じてしまう。
【００１３】
特許文献１および２の手法は、荷電粒子線の光軸や、荷電粒子源の仮想位置などを自動で調整することが可能だが、光学条件の変化には対応していない。すなわち、光学条件を変えるたびに、オペレータは光軸や荷電粒子源の仮想位置などの調整を行う必要があった。また、特許文献１および２の手法では、光学条件の変化により光軸がずれていることを気づかぬまま、輝度や分解能などが劣化した試料像を観察してしまう可能性もある。さらに前述のように、光軸ずれは視野ずれを引き起こす。そのため、オペレータが光軸条件を変更した際に、視野ずれにより観察対象を見失ってしまう可能性がある。
【００１４】
本発明の目的は、光学条件を変更した場合でも、光軸ずれを抑制することに関する。
【課題を解決するための手段】
【００１５】
上記目的を達成するため、本発明の一実施形態では、試料に照射される荷電粒子線を放出する荷電粒子源と、前記荷電粒子線を所定の縮小率で集束する集束レンズを少なくとも一つ含む集束レンズ系と、前記集束レンズ系のうち最も下流の集束レンズと前記荷電粒子源との間に位置し、前記荷電粒子源の仮想位置を移動させる偏向器と、前記偏向器および前記集束レンズ系を制御する制御手段と、を有し、前記制御手段は、前記集束レンズ系の縮小率の変化による、前記集束レンズ系の下流における前記荷電粒子線の中心軌道のずれを抑制する位置に、前記荷電粒子源の仮想位置を移動させるように、前記偏向器を制御する。
【発明の効果】
【００１６】
本発明によれば、荷電粒子線の光学条件が変化した場合においても、荷電粒子線の光軸ずれの抑制が可能となる。
【図面の簡単な説明】
【００１７】
【図１】走査電子顕微鏡の概略図
【図２】縮小率を変化させた際に、光軸ずれや視野ずれが発生する原理の説明図
【図３】実施例１における、第二集束レンズから対物レンズの間の拡大図
【図４】縮小率が小さい場合の集束点を、中心軌道上に配置する際のビーム軌道図
【図５】実施例１における、第二集束レンズと対物絞りの間の拡大図
【図６】実施例１における、調整順序のフローチャート
【図７】円形像の模式図
【図８】縮小率が変化した際に発生する、光軸ずれの大きさのシミュレーション結果
【図９】最大の縮小率と、任意の縮小率との間で、ビーム中心軌道を一致させた際の光軸ずれの抑制率のシミュレーション結果
【図１０】実施例２における、第二集束レンズ８と対物絞り９の間の拡大図
【図１１】実施例１および２における、縮小率を変化させたときに発生する光軸ずれのシミュレーション結果
【図１２】実施例３における、調整順序のフローチャート
【図１３】実施例３において、表示装置２９へ表示する画像
【図１４】実施例４における、調整順序のフローチャート
【発明を実施するための形態】
【００１８】
荷電粒子線装置の光学条件の変化に伴い光軸ずれや視野ずれが発生する原理について、図面を参照して説明する。
【００１９】
図１は、荷電粒子線装置の一つである、走査電子顕微鏡の概略図である。ただし、以後の説明は走査電子顕微鏡に限られるものではなく、透過電子顕微鏡、走査透過電子顕微鏡、および集束イオンビーム装置などにも適用が可能である。
【００２０】
この走査電子顕微鏡は、試料１４に照射するための一次電子ビーム４を放出するフィラメント１、一次電子ビーム４を集束するウェネルト２、ウェネルト２を通過した一次電子ビーム４を所定の加速電圧Ｖaccで加速し、一次電子ビーム４を下流（後段）の電子光学系に導く陽極３、ステージ制御回路２７によって制御される、試料１４を載置するためのステージ１５、装置全体を制御するコンピュータ２８などを備える。
【００２１】
ここで、フィラメント１に流れる電流、ウェネルト２に印加される電圧および加速電圧Ｖaccなどは高電圧制御回路１９で制御されている。
【００２２】
後述するように、実施例における光軸調整方法は、フィラメント１が熱放出型である場合に特に効果的である。しかし、フィラメント１は熱放出型に限らず、電界放出型や、ショットキー型でも構わない。
【００２３】
電子光学系は、フィラメント１の仮想位置や一次電子ビーム４の傾斜具合を調整することが可能な上段ガンアライメントコイル５および下段ガンアライメントコイル６、一次電子ビーム４を所定の縮小率で集束するための第一集束レンズ７および第二集束レンズ８、一次電子ビーム４を試料１４上で二次元的に走査するための上段偏向コイル１１および下段偏向コイル１２、一次電子ビーム４を試料１４上にフォーカスさせるための対物レンズ１３などを備える。
【００２４】
また、電子光学系は、一次電子ビーム４を対物レンズ１３の中心へ通過させるためのアライナー１０を備える。
【００２５】
これらの電子光学系の要素は、一次電子ビーム４に対し電磁気力を働かせ、一次電子ビーム４の試料への照射条件を調整するものであり、目的に応じて静電誘導方式と電磁誘導方式を自由に組み合わせることができる。
【００２６】
これらの要素には、それぞれガンアライメント制御回路２０、第一集束レンズ制御回路２１、第二集束レンズ制御回路２２、アライナー制御回路２３、偏向制御回路２４、対物レンズ制御回路２５などが接続されている。各制御回路は、各要素の電流量や電圧値などを調整することで、各要素の動作を制御している。
【００２７】
さらに、電子光学系は、一次電子ビーム４の試料１４への照射量を制限するための対物絞り９を備える。対物絞り９は、対物レンズ１３よりフィラメント１側に配置され、望ましくは第二集束レンズ８と対物レンズ１３との間に配置される。なお、電子光学系の内部には、対物レンズ絞り９以外の他の絞りが存在しても良い。
【００２８】
ここでは、ガンアライメントコイルの段数は二段としたが、ガンアライメントコイルの段数は一段でも二段以上でもよい。ただし、次の理由から二段以上のほうが望ましい。
【００２９】
フィラメント１が斜めに取り付いている場合には、一次電子ビーム４は傾斜して放出される。その場合、一次電子ビーム４の最も輝度の高い部分を使用するためには、ガンアライメントコイルを用いて一次電子ビーム４を偏向し、一次電子ビーム４の傾斜を補償する必要がある。
【００３０】
ガンアライメントコイル（偏向器）が一段の場合は、ガンアライメントコイルにより一次電子ビーム４を偏向したときに、一次電子ビーム４の傾斜を補償すると同時に、フィラメント１の仮想位置も変化させてしまう。フィラメント１の仮想位置の変化は、光軸にも影響を与えてしまう。一方、ガンアライメントコイルが二段以上の場合は、仮想的な光源位置を変化させずに、一次電子ビーム４の傾斜角度のみを変化させる制御が可能となる。そのため、ガンアライメントコイルが二段以上の場合は、光軸を維持した状態で、試料像の輝度が最大となるように調整することができる。
【００３１】
第一集束レンズ７や第二集束レンズ８は、電磁レンズの励磁を制御して、一次電子ビーム４の縮小率を変化させている。縮小率が変化することで、対物絞り９を通過する際の一次電子ビーム４の広がり角が変化する。一次電子ビーム４の広がり角が大きい場合（縮小率が大きい場合）は、対物絞り９による一次電子ビーム４の遮断量が大きくなるため、一次電子ビーム４の試料１４への照射量は小さくなる。一方、一次電子ビーム４の広がり角が小さい場合（縮小率が小さい場合）は、一次電子ビーム４の遮断量が小さくなるため、試料１４への照射量は多くなる。すなわち、集束レンズにより一次電子ビーム４の縮小率を変化させることで、一次電子ビーム４の試料１４への照射量を調整することができる。
【００３２】
なお、本明細書では、「集束レンズによる一次電子ビーム４の縮小率」を「一次電子ビーム４の縮小率」もしくは「集束レンズの縮小率」と呼ぶ場合がある。
【００３３】
ここでは、集束レンズの段数は二段としたが、集束レンズの段数は一段でも二段以上でもよい。複数段の集束レンズを備えることで、より大きい縮小率を得ることができる。幅広い観察条件に対応するためにも、集束レンズの縮小率の制御範囲は大きい方が望ましい。
【００３４】
なお、縮小率は小数や分数（たとえば０．２倍や１／５など）で表される場合がある。一次電子ビーム４を全く縮小しない場合、その縮小率は１となる。本明細書においては、「縮小率が大きい場合」とは、「（一次電子ビーム４を）より強く縮小した場合」と換言できる場合がある。縮小率が０．２倍（１／５）である場合と１である場合とを比較すると、数値としては０．２倍のほうが小さいが、縮小率としては０．２倍の方が大きい。
【００３５】
また、対物レンズ１３はアウトレンズ式としたが、これはセミインレンズ（シュノーケルレンズ）式やインレンズ式などであってもよい。
【００３６】
電子光学系を通過した一次電子ビーム４は、試料１４に照射される。試料１４の一次電子ビーム照射点から発生する二次電子および反射電子、ならびにＸ線などの信号１６を、検出器１７で検出し、信号制御回路２６に接続された増幅器１８で増幅することで、試料表面の電子顕微鏡像などを取得する。
【００３７】
コンピュータ２８は、各種の制御回路と接続されており、装置全体を制御する。
【００３８】
増幅器１８で増幅された二次電子などの信号１６の情報は、コンピュータ２８に接続された表示装置２９に表示される。
【００３９】
コンピュータ２８には、表示装置２９以外にも、観察画像や計算結果を保存するための記憶手段３０と、観察条件などを入力するための入力手段３１が接続されている。その他、表示装置２９上に表示された観察画像を画像情報として取得するための画像取得手段、観察画像に対して種々の画像処理を行う画像処理手段、電子光学系の感度パラメータなどを計算する計算手段などが接続されていてもよい。
【００４０】
制御回路などの構成は、複数の制御機能を有する制御回路を用いる構成や、複数のコンピュータや表示装置を用いる構成などでもよい。
【００４１】
図２は、第一集束レンズ７および第二集束レンズ８の縮小率を変化させた際に、光軸ずれや視野ずれが発生する原理の説明図である。図２（ａ）は、フィラメント１から試料１４までの全体図であり、図２（ｂ）は、第二集束レンズ８および対物絞り９近傍を拡大して示した図である。
【００４２】
図２において、フィラメント１、第一集束レンズ７、第二集束レンズ８は、それぞれの中心軸が対物レンズ１３の中心軸（光軸３２）と一致するように配置され、対物絞り９は第二集束レンズ８の下段にLC2_APTだけ離れた位置に設置され、その中心軸は光軸３２からΔrAPTずれている場合を想定する。また、対物レンズ１３は対物絞り９の下段にLOBJ_APTだけ離れた位置に設置されるものとする。
【００４３】
なお、本明細書では、対物レンズ１３の中心軸を光軸３２として説明するが、その他の構成要素の軸を基準とし、光軸３２として考えても良い。
【００４４】
図２の例では、対物絞り９の中心軸が光軸からずれている場合を考えたが、フィラメント１、第一集束レンズ７および／または第二集束レンズ８の中心軸が光軸からずれている場合でも同様に考えることができる。
【００４５】
アライナー１０は、対物レンズ１３の上段にLOBJ_ALの距離で設置される。アライナー１０は、ビーム中心軌道が対物レンズ１３の中心を通過するよう、一次電子ビーム４を調整する。
【００４６】
第一集束レンズ７および／または第二集束レンズ８の縮小率を変化させたとき、対物絞り９の中心が光軸からずれている場合、縮小率の大小により、対物絞り９を通過できる一次電子ビーム４の角度が異なるため、ビーム中心軌道が変化する。以後、集束レンズの縮小率が大きい場合のビーム中心軌道を第一の中心軌道３３、集束レンズの縮小率が小さい場合のビーム中心軌道を第二の中心軌道３４として説明する。
【００４７】
対物レンズ１３の主面３５上において、第一の中心軌道３３が光軸３２上を通過している理想的な状態から、縮小率を下げた場合を考える。縮小率を下げることで、対物レンズ１３の主面３５上におけるビーム中心軌道の位置は、P1_HMからP1_LMに移動する。すなわち、第二の中心軌道３４は光軸３２の外側を通過することになる。前述のように、対物レンズ１３の主面３５上で、ビーム中心軌道が光軸３２の外側を通過すると、軸外色収差が大きくなり、高分解能の試料像が得られなくなってしまう。
【００４８】
さらに、対物絞り９の中心軸が光軸３２からずれている状態で縮小率を下げた場合、試料１４上における一次電子ビーム４の照射位置が、P2_HMからP2_LMに移動する。このため、縮小率を変化させた際に、視野ずれが発生する。
【００４９】
また、主面３５上で、ビーム中心軌道が光軸３２の外側を通過している場合、縮小率を変化させなくとも、対物レンズ１３の焦点の変化によって観察位置が変化してしまう。結果として、荷電粒子線装置の焦点の調整が困難となる。
【００５０】
以上のように、光軸ずれ（対物絞り９の中心軸のずれ、もしくは第一の中心軌道３３と第二の中心軌道３４のずれ）が大きい場合、光学条件の変化による悪影響が大きい。そのため、光学条件を変化させるたび、アライナー１０により、主面３５上でビーム中心軌道が光軸３２を通過するように調整する必要があった。
【００５１】
図３は、図２のうち、第二集束レンズ８から対物レンズ１３の間の拡大図である。ただし、上段偏向コイル１１および下段偏向コイル１２の図示は省略している。
【００５２】
第一集束レンズ７や第二集束レンズ８は、縮小率を制御することで、形成する集束点の位置を変化させている。図３の例では、縮小率が大きい場合の集束点OC2_HMは第二集束レンズ８からb2_HMの距離に位置し、縮小率が小さい場合の集束点OC2_LMは第二集束レンズ８からb2_LMの距離に位置している。
【００５３】
フィラメント１、第一集束レンズ７、第二集束レンズ８の中心が光軸３２上に配置されている場合、それぞれの集束点OC2_HM、OC2_HMも光軸３２上に形成される。
【００５４】
試料に照射される電子ビームの中心軌道は、集束点と対物絞り９を結ぶ直線の軌道で決定される。対物絞り９を通過する際の第一の中心軌道３３（縮小率が大きい場合）の傾きθC2_HMは、以下の式で表される。
【００５５】
θC2_HM=ΔrAPT/(LC2_APT-b2_HM)
第一の中心軌道３３は、アライナー１０の位置において光軸３２からΔrAL_HMだけ離軸しており、ΔrAL_HMは以下の式で表される。
【００５６】
ΔrAL_HM=(LC2_APT-b2_HM+LOBJ_APT-LOBJ_AL)θC2_HM
第一の中心軌道３３が主面３５上で光軸３２を通過するよう、アライナー１０を調整すると、アライナー１０によるビーム中心軌道の偏向角θALは以下の式で与えられる。
θAL=ΔrAL_HM/LOBJ_AL+θC2_HM
一方、対物絞り９を通過する際の第二の中心軌道３４（縮小率が小さい場合）の傾きθC2_LMおよびアライナー１０における第二の中心軌道３４の離軸量ΔrAL_LMは、以下の式で表される。
【００５７】
θC2_LM=ΔrAPT/(LC2_APT-b2_LM)
ΔrAL_LM=(LC2_APT-b2_LM+LOBJ_APT-LOBJ_AL)θC2_LM
縮小率が小さい場合のアライナー１０の動作条件が、縮小率が大きい場合と変わらないとすれば、アライナー１０による偏向角θALも変わらない。そのため、主面３５上では、第一の中心軌道３３と第二の中心軌道３４との間に、以下の式で表される光軸ずれ（P1_LM-P1_HM）が発生する。
【００５８】
（P1_LM-P1_HM）＝ΔrAL_LM-LOBJ_AL(θAL-θC2_LM)＝LOBJ_APTΔrAPT(1/(LAPT-b2_LM)-1/(LAPT-b2_HM))
集束レンズによる一次電子ビーム４の縮小率は、試料像の分解能にも影響する。特に熱放出型電子銃の場合、電子源の実質的な直径は数１０マイクロメートル程度となる。そのため、数ナノメートルの分解能を得たい場合、一次電子ビーム４の縮小率を１／３００〜１／５００程度にする必要がある。
【００５９】
一方、元素分析などの際に、試料に照射する一次電子ビーム４の照射量を大きくする必要がある場合は、集束レンズによる一次電子ビーム４の縮小率を小さくする。前述のように、縮小率を小さくすることで対物絞り９による一次電子ビーム４の遮断量も小さくなり、結果として一次電子ビーム４の照射量が大きくなるためである。汎用的な電子顕微鏡では、電子線量を最大にする場合、縮小率は１／５程度に制御されている。
【００６０】
このように、縮小率は観察の目的に応じて大きく変化する。縮小率が大きく変化すると、集束点OC2_HMとOC2_LMとの差も大きくなり、光軸ずれの量（P1_LM-P1_HM）も大きなものとなってしまう。
【００６１】
以下、図面を参照して本発明の実施例を説明する。
【００６２】
実施例では、試料に照射される荷電粒子線を放出する荷電粒子源と、荷電粒子線を所定の縮小率で集束する集束レンズを少なくとも一つ含む集束レンズ系と、集束レンズ系のうち最も下流の集束レンズと荷電粒子源との間に位置し、荷電粒子源の仮想位置を移動させる偏向器と、偏向器および集束レンズ系を制御する制御手段と、を有し、制御手段は、集束レンズ系の縮小率の変化による、集束レンズ系の下流における荷電粒子線の中心軌道のずれを抑制する位置に、荷電粒子源の仮想位置を移動させるように、偏向器を制御する荷電粒子線装置を開示する。
【００６３】
また、実施例では、集束レンズ系が第一の縮小率を有する場合の集束レンズ系の下流における荷電粒子線の第一の中心軌道と、集束レンズ系が第一の縮小率よりも小さな第二の縮小率を有する場合の集束レンズ系の下流における荷電粒子線の第二の中心軌道を一致させるように制御する荷電粒子線装置を開示する。
【００６４】
また、実施例では、二つ以上の集束レンズを有し、集束レンズ系が第一の縮小率および第二の縮小率以外の第三の縮小率を有する場合、集束レンズ系と試料との間における荷電粒子線の集束点を移動させ、集束レンズ系が第三の縮小率を有する場合の集束レンズ系の下流における荷電粒子線の第三の中心軌道を、第一の中心軌道または第二の中心軌道と一致させるように制御する荷電粒子線装置を開示する。
【００６５】
また、実施例では、試料に荷電粒子線をフォーカスする対物レンズと、荷電粒子線の試料への照射条件を調整する調整手段と、を有し、集束レンズ系が第一の縮小率を有する場合に、第一の中心軌道が対物レンズの主面において対物レンズの中心軸を通過するように、調整手段を制御した後に、第一の中心軌道と第二の中心軌道を一致させるように制御する荷電粒子線装置を開示する。
【００６６】
また、実施例では、試料に荷電粒子線をフォーカスする対物レンズと、荷電粒子線の進路上に配置された絞りと、絞りの上で荷電粒子線を走査することで得られる信号を検出する検出器と、検出器の信号から、対物レンズの中心軸と、集束レンズ系の下流における荷電粒子線の中心軌道との位置関係を示す画像を形成する信号処理手段と、信号処理手段で形成された画像を表示するディスプレイと、制御部による調整手段および偏向器の制御条件を操作する条件操作手段を有する荷電粒子線装置を開示する。
【００６７】
また、実施例では、固定式の絞りを有する荷電粒子線装置を開示する。
【００６８】
また、実施例では、集束レンズ系が第一の縮小率を有する場合と、集束レンズ系が第二の縮小率を有する場合とにおいて、それぞれ独立して調整手段および偏向器の制御条件を操作可能である荷電粒子線装置を開示する。
【００６９】
また、実施例では、試料に照射される荷電粒子線を放出する荷電粒子源と、荷電粒子線を所定の縮小率で集束する集束レンズを少なくとも一つ含む集束レンズ系と、集束レンズ系のうち最も下流の集束レンズと荷電粒子源との間に位置し、荷電粒子源の仮想位置を移動させる偏向器と、荷電粒子線の試料への照射条件を調整する調整手段と、試料に荷電粒子線をフォーカスする対物レンズと、荷電粒子線が物体に衝突することにより得られる信号を検出する検出器と、検出器の信号から、対物レンズの中心軸と、集束レンズ系の下流における荷電粒子線の中心軌道との位置関係の情報を収集する信号処理手段と、ディスプレイと、調整手段および偏向器の動作条件を操作する条件操作手段と、を有し、ディスプレイに、信号処理手段で収集された、対物レンズの中心軸と、荷電粒子線の中心軌道との位置関係の情報を表示させ、集束レンズ系が第一の縮小率を有する場合の集束レンズ系の下流における荷電粒子線の第一の中心軌道と、集束レンズ系が第一の縮小率よりも小さな第二の縮小率を有する場合の集束レンズ系の下流における荷電粒子線の第二の中心軌道を一致させるように、条件操作手段を操作するよう促すユーザーインターフェースをディスプレイに表示する荷電粒子線装置を開示する。
【００７０】
また、実施例では、集束レンズ系が第一の縮小率を有する場合に、第一の中心軌道が対物レンズの主面において対物レンズの中心軸を通過するよう調整手段の動作条件を操作した後、第一の中心軌道と第二の中心軌道を一致させるように偏向器の動作条件を操作することを促す荷電粒子線装置を開示する。
【００７１】
また、実施例では、荷電粒子線の進路上に配置された絞りを有し、検出器は、絞りの上で荷電粒子線を走査することで得られる信号を検出し、信号処理手段は、検出器の信号から、対物レンズの中心軸と、荷電粒子線の中心軌道との位置関係を示す画像を形成し、ディスプレイに、信号処理手段により形成された画像を表示させる荷電粒子線装置を開示する。
【００７２】
また、実施例では、荷電粒子線が第一の縮小率で縮小される場合に、電子光学系による荷電粒子線の偏向角度を調整することで、レンズ効果の発生前後における荷電粒子線の第一の中心軌道を変化させる工程と、荷電粒子線が第一の縮小率よりも小さな第二の縮小率で縮小される場合に、電子光学系により荷電粒子源の仮想位置を調整することで、レンズ効果の発生前後における荷電粒子線の第二の中心軌道を第一の中心軌道と一致させる工程と、を含む荷電粒子線装置の調整方法を開示する。
【００７３】
また、実施例では、第一の中心軌道を変化させる工程において、第一の中心軌道がレンズ効果をもたらす電磁場の中心を通過するように、荷電粒子線の偏向角度を調整する荷電粒子線装置の調整方法を開示する。
【００７４】
また、実施例では、信号処理手段が、荷電粒子線が物体に衝突することにより得られる信号から、レンズ効果をもたらす電磁場の中心と、レンズ効果の発生後における荷電粒子線の第一の中心軌道との位置関係の情報を収集し、第一の中心軌道を変化させる工程において、信号処理手段が、位置関係の情報から荷電粒子源の偏向角度の調整量を算出する荷電粒子線装置の調整方法を開示する。
【００７５】
また、実施例では、信号処理手段が、荷電粒子線が物体に衝突することにより得られる信号から、レンズ効果をもたらす電磁場の中心と、レンズ効果の発生後における荷電粒子線の第一の中心軌道との位置関係の情報を収集し、第二の中心軌道を第一の中心軌道と一致させる工程において、信号処理手段が、位置関係の情報から荷電粒子源の仮想位置の調整量を算出する荷電粒子線装置の調整方法を開示する。
【００７６】
また、実施例では、信号処理手段が、荷電粒子線が物体に衝突することにより得られる信号から、レンズ効果をもたらす電磁場の中心と、レンズ効果の発生後における荷電粒子線の中心軌道との位置関係の情報を収集し、荷電粒子線の第一の中心軌道を変化させる工程において、信号処理手段が、電磁場の中心と、第一の中心軌道との位置関係を表示するためのユーザーインターフェースを画面上に表示し、第二の中心軌道を第一の中心軌道と一致させる工程において、信号処理手段が、電磁場の中心と、第二の中心軌道との位置関係を表示するためのユーザーインターフェースを画面上に表示する荷電粒子線装置の調整方法を開示する。
【実施例１】
【００７７】
本実施例における荷電粒子線装置の基本構成は、図１に示した装置と同等のものを採用できる。
【００７８】
これまで説明してきた光軸ずれは、第二集束レンズ８の後段に形成される集束点OC2_HMとOC2_LMとが、同一の軌道上にないことが要因となる。換言すれば、集束点OC2_HMとOC2_LMとを同一の軌道上に位置させることができれば、縮小率の変化による光軸ずれを抑制することが可能になる。
【００７９】
そこで本実施例では、ガンアライメントコイルにより仮想的な電子源の位置（仮想位置３６）を移動させることで、縮小率が小さい場合の集束点を、縮小率が大きい場合のビーム中心軌道上に配置する。
【００８０】
従来、ガンアライメントコイルは、上段ガンアライメントコイル５および／または下段ガンアライメントコイル６で一次電子ビーム４を走査することにより得られる像（フィラメントイメージ）を用いて、そのときどきの光学条件における試料像の輝度を最大とするために用いられてきた。
【００８１】
本実施例のように、ガンアライメントコイルにより、第一の中心軌道３３と第二の中心軌道３４を一致させるといった調整は行われていなかった。そのため、従来は、光学条件を変えたときに光軸ずれが生じていた。
【００８２】
特に熱電子放出型電子銃の場合はフィラメント１の交換頻度が高く、その際にガンアライメントコイル等を用いてフィラメント１の仮想位置３６の調整を行う。そのため、調整の都度に光学条件が変化してしまう。
【００８３】
そこでフィラメント交換時などに本実施例で示す手法で調整することで、光学条件が変化した際の光軸ずれを抑制できる。
【００８４】
図４は、ガンアライメントコイルにより、縮小率が小さい場合の集束点OC2_LMを、第一の中心軌道３３上に配置する際のビーム軌道図である。図５は、第二集束レンズ８と対物絞り９の間の拡大図である。
【００８５】
上段ガンアライメントコイル５および下段ガンアライメントコイル６により、フィラメント１の近傍でビームを偏向させることで、フィラメント１の仮想位置３６はOGからOG_ALに移動する。これに伴い、第二集束レンズ８の集束点の位置が移動するが、その移動量ΔOC2は集束レンズの縮小率MCで決定される。仮想位置３６の移動量は（OG-OG_AL）であるから、ΔOC2＝(OG-OG_AL)×MCとなる。
【００８６】
縮小率の小さい場合の縮小率をMC_LMとする。仮想位置３６の移動量（OG-OG_AL）を、（OG-OG_AL）＝（ΔOC2_LM/MC_LM）となるよう上段ガンアライメントコイル５および／または下段ガンアライメントコイル６を制御することで、縮小率が小さい場合の新たな集束点OC2_LMを、第一の中心軌道３３上に配置することができる（第一の中心軌道３３と第二の中心軌道３４がほぼ同一となる）。
【００８７】
ここで、仮想位置３６の移動は、縮小率が大きい場合の集束点にも影響し、縮小率が大きい場合の新たな集束点はOC2_HMとなる。そのため、ガンアライメントコイルの駆動前後で、第一の中心軌道３３が変化してしまうとも考えられる。
【００８８】
しかし、縮小率が大きい場合の縮小率MC_HMは、MC_LMの１００倍以上となる。そのため、縮小率が大きい場合の集束点の移動量ΔOC2_HMは、ΔOC2_LMに比べ１／１００以下となり、仮想位置３６の移動の影響をほとんど無視できる（OC2_HM≒OC2_HMとなる）。つまり、縮小率が小さい場合は集束点がOC2_LMからOC2_LMに移動しビーム軌道が変化するが、縮小率が大きい場合は集束点がほとんど移動しない。すなわち、仮想位置３６の移動によらず、第一の中心軌道３３は維持される。
【００８９】
以上のように、ガンアライメントコイルを用いて仮想位置３６を移動させ、OC2_LMを第一の中心軌道３３上に配置することで、第一の中心軌道３３と第二の中心軌道３４がほとんど同一のものとなる。その結果、対物絞り９の中心軸が光軸３２からずれていたとしても、光学条件の変化に伴う光軸ずれ、視野ずれを抑制できる。
【００９０】
従来の荷電粒子線装置では、対物絞り９の中心軸が光軸３２からずれた場合に、対物絞り９を理想的な位置に戻すための対物絞り可動機構が設けられていた。本実施例に示す手法を用いることで、対物絞り可動機構が不要となる。
【００９１】
次に、本実施例における調整の流れについて説明する。図６は、本実施例における調整順序のフローチャートである。
【００９２】
ＳＴＥＰ６０１：オペレータは、入力手段３１を介して、コンピュータ２８に調整を開始する指示を出す。コンピュータ２８は、第一集束レンズ制御回路２１および第二集束レンズ制御回路２２に指示を出し、第一集束レンズ７および／または第二集束レンズ８の二つの集束レンズの縮小率を大きい状態に設定する。
【００９３】
ＳＴＥＰ６０２：縮小率が大きい状態の光学条件が最適でない場合、オペレータもしくはコンピュータ２８は、必要に応じて後述する方法で光学条件の調整を行う。
【００９４】
ＳＴＥＰ６０３：コンピュータ２８は、必要に応じて集束レンズの縮小率が大きい状態での光学条件（第一の中心軌道３３の情報を含む）を記憶手段３０に記憶する。
【００９５】
ＳＴＥＰ６０４：オペレータもしくはコンピュータ２８は、第一集束レンズ制御回路２１および第二集束レンズ制御回路２２に指示を出し、第一集束レンズ７および／または第二集束レンズ８の二つの集束レンズの縮小率を小さい状態に設定する。
【００９６】
ＳＴＥＰ６０５：オペレータもしくはコンピュータ２８は、記憶手段３０に記憶した光学条件を参照しつつ、ガンアライメント制御回路２０に指示を出し、上段ガンアライメントコイル５および／または下段ガンアライメントコイル６を調整する。調整は、第一の中心軌道３３と第二の中心軌道３４を一致させるように行われる。
【００９７】
以上のステップにより調整が完了する。その結果、光学条件を変更した場合など、荷電粒子線の状態が変化しても光軸や視野のずれを抑制することが可能になる。
【００９８】
また、ＳＴＥＰ６０２〜６０３において、集束レンズの縮小率が大きい状態で光学条件を調整し、光学条件を記憶手段３０に記録し、ＳＴＥＰ６０４〜６０５で第一の中心軌道３３と第二の中心軌道３４を一致させるためには、代表的には以下に記す方法のいずれか（もしくはそれらの組み合わせ）を用いることができる。
【００９９】
１つ目の方法は、ＳＴＥＰ６０２において、対物レンズ制御回路２５を用いて対物レンズ１３の励磁を変化（周期的な正弦波状、三角波状、または矩形波状に変化させることが望ましいが、これに限らない）させて、そのときの試料像の視野ずれが最小となるようにアライナー制御回路２３を用いてアライナー１０を調整する行う方法である。
【０１００】
対物レンズ１３の励磁が変化すると、一次電子ビーム４のフォーカス位置が変化する。前述のように、一次電子ビーム４が光軸３２から外れているほど、フォーカス位置の変化に伴う視野ずれが大きい。フォーカス位置の変化に伴う視野ずれが最小になるようにアライナー１０を調整することで、第一の中心軌道３３が主面３５において光軸３２を通過していることを実現できる。
【０１０１】
その後、ＳＴＥＰ６０４で集束レンズの縮小率を小さい状態にすると、光軸ずれによる視野ずれが発生する。
【０１０２】
そこでＳＴＥＰ６０５において、ＳＴＥＰ６０２と同様に、対物レンズ制御回路２５を用いて対物レンズ１３の励磁を変化させ、試料像の視野ずれが最小となるように調整する。ただし、ＳＴＥＰ６０２の場合と異なり、ＳＴＥＰ６０５では、ガンアライメント制御回路２０を用いて上段ガンアライメントコイル５および／または下段ガンアライメントコイル６を調整する。
【０１０３】
対物絞り９の位置が不変である場合、対物レンズ１３の励磁変化による視野ずれが最小となるような、ビーム中心軌道の条件は一意である。そのため、この方法を用いることで、第一の中心軌道３３と第二の中心軌道３４を一致させることができる。
【０１０４】
２つ目の方法は、ＳＴＥＰ６０３において、試料像で表示される視野の位置を記憶手段３０で記憶しておいたり、表示装置２９上に試料像の基準点や基準図形の位置を描画しておく方法である。
【０１０５】
その後、ＳＴＥＰ６０４で集束レンズの縮小率を小さい状態にすると、光軸ずれによる視野ずれが発生する。
【０１０６】
ＳＴＥＰ６０５では、集束レンズの縮小率が小さい状態でガンアライメント制御回路２０を用いて上段ガンアライメントコイル５および／または下段ガンアライメントコイル６を調整し、ＳＴＥＰ６０３において記憶した視野と現在の視野を一致させる。
【０１０７】
３つ目の方法は、対物レンズ１３もしくは対物レンズ１３に設置された電子光学系内部の真空度を制御するための絞り（図示せず）などの上で、一次電子ビーム４を走査し、その際に得られる円形像を用いる方法である。ここで、一次電子ビーム４の走査は、上段偏向コイル１１および下段偏向コイル１２の偏向電流の比を変えることで実現される。
【０１０８】
図７は、この手法において得られる円形像の模式図である。
【０１０９】
図７において、円形像３７の中心３８は、対物レンズの中心（光軸３２）を表している。画像全体の中心３９は、一次電子ビーム４の中心（第一の中心軌道３３または第二の中心軌道３４）を表している。円形像３７により、光軸３２と一次電子ビーム４の中心の位置関係を可視化できる。
【０１１０】
なお、図７には、円形像３７の中心３８を示すため、円形像３７の内部に黒線で十字を描いている。この十字は、便宜的に描いたものであり、必ずしも必要な表示ではない。
【０１１１】
図７（ａ）のように、円形像３７の中心３８と画像全体の中心３９がずれている場合は、ＳＴＥＰ６０２においてアライナー制御回路２３を用いてアライナー１０を調整して、円形像３７の中心３８と、画像全体の中心３９を一致させた状態（図７（ｂ）の状態）とする。その結果、一次電子ビーム４は、主面３５上において光軸３２を通過することとなる。
【０１１２】
その後、ＳＴＥＰ６０５においても円形像３７を用いて、円形像３７の中心３８が、画像全体の中心３９と一致するよう、ガンアライメント制御回路２０を用いて上段ガンアライメントコイル５と下段ガンアライメントコイル６を調整する。
【０１１３】
上記の方法では、集束レンズの縮小率が大きいＳＴＥＰ６０２において、アライナー１０で円形像３７の中心３８を、画像全体の中心３９に一致させる調整を行う。この調整方法の他にも、ＳＴＥＰ６０３で円形像３７の中心３８の位置を記憶手段３０に記憶し、ＳＴＥＰ６０５における円形像３７の中心３８の位置（縮小率が小さい場合の位置）を記憶した位置（縮小率が大きい場合の位置）に一致させるものとしてもよい。
【０１１４】
図８は、集束レンズの縮小率が変化した際に発生する、光軸ずれの大きさのシミュレーション結果である。本実施例に示した調整を行った場合と、従来の場合の二通りのシミュレーションを行っている。
【０１１５】
シミュレーションは、対物絞り９が対物レンズ１３の中心軸から１００マイクロメートル離軸している場合（ΔrAPT＝１００マイクロメートル）を想定している。また、集束レンズの縮小率は、０．００２９〜０．１８倍まで連続的に制御できる装置を用いた場合を想定している。光軸ずれの大きさ（縦軸）は、アライナー１０によりビーム中心軌道を対物レンズ１３の中心に通すための偏向角度の変化量で表している。
【０１１６】
本実施例に示した調整は、集束レンズの縮小率が最大の場合（０．００２９倍）と最小の場合（０．１８倍）とで、第二集束レンズ８の後段でのビーム中心軌道を一致させるように行うと想定した。
【０１１７】
従来の場合（図８点線）は、縮小率が小さくなるにつれて光軸ずれ量も大きくなる。本実施例による調整を行った場合（図８実線）は、縮小率が最大の場合と最小の場合とで、第一の中心軌道３３と第二の中心軌道３４をほぼ一致させるため、この二点における光軸ずれ量はほぼ０となる。その他の縮小率の場合においても光軸ずれは抑制される。
【０１１８】
本実施例に示した調整を行った場合における、光軸ずれ量の最大値は、およそ０．８４ミリラジアン（縮小率０．１〜０．１２倍前後）となった。一方、従来の場合の光軸ずれ量の最大値は、およそ３．５ミリラジアン（縮小率０．１８倍）となった。すなわち、本実施例に示した調整により、光軸ずれの最大値は７６％抑制される。本実施例に示した調整により、集束レンズの縮小率を変えた場合に発生する光軸ずれを抑制することができ、縮小率の変化に伴うアライナー１０の再調整が不要となる。
【０１１９】
また、上記の例では、集束レンズの縮小率が最大の場合と最小の場合を基準として、ビーム中心軌道が一致するようにガンアライメントコイルを調整する場合を想定したが、基準とする縮小率は最大・最小でなくともよい。
【０１２０】
図９は、最大の縮小率と、任意の縮小率との間で、ビーム中心軌道を一致させた際の光軸ずれの抑制率のシミュレーション結果である。光軸ずれの抑制率は（１−（光軸ずれ量の最大値）/（従来の場合の光軸ずれ量の最大値））により求めた。
【０１２１】
図９に示すとおり、最大の縮小率と、任意の縮小率との間でビーム中心軌道を一致させたとしても、光軸ずれを抑制することができる。たとえば、縮小率が最大の場合（０.００２９倍）と、縮小率が０．０２倍程度の場合のビーム中心軌道を一致させた場合は、光軸ずれを約７０％抑制することができる。
【０１２２】
上記の例では、最大の縮小率と任意の縮小率との間で、ビーム中心軌道を一致させるものとした。しかし、任意の縮小率と最小の縮小率との間でビーム中心軌道を一致させてもよいし、任意の縮小率と任意の縮小率との間でビーム中心軌道を一致させてもよい。
【０１２３】
縮小率が大きい場合は、試料に照射される電子線量が少なくなるため、試料像のシグナル／ノイズ比が悪くなる。その結果、試料像などを観察しながらの調整を行いにくくなる。そこで、最大の縮小率を基準とせず、たとえば０．０２倍の縮小率を基準として、ビーム中心軌道を一致させることで、シグナル／ノイズ比を向上させながら、本実施例による調整を行うことができる。
【実施例２】
【０１２４】
実施例２は、実施例１と同等の構成を備える荷電粒子線装置において、さらに光軸ずれを抑制できる光軸調整方法についてのものである。以下、実施例１との相違点を中心に説明する。
【０１２５】
実施例１では、あらかじめ決められた２つの縮小率（例えば、最大縮小率と最小縮小率）におけるビーム中心軌道が同一になるよう調整している。しかしながら、図８に示すように、集束レンズ縮小率MCを２つの縮小率以外に設定した場合は、光軸ずれが残存してしまう。
【０１２６】
集束レンズの縮小率MCに応じて、第二集束レンズ８の集束点の位置を次のように制御することで、残存している光軸ずれをさらに抑制することができる。
【０１２７】
図１０（ａ）は、b2_HM≦b2_MM≦b2_LMの任意の位置b2_MMに、第二集束レンズ８の集束点OC2_MMがある場合の、第二集束レンズ８と対物絞り９の間の拡大図である。b2_MMを通過するビーム中心軌道を、第三の中心軌道４０とする。
【０１２８】
集束点OC2_MMと、第一の中心軌道３３（縮小率が大きい場合）の（レンズ中心軸に対して垂直方向の）距離ΔOC2_MMは、以下の式で表される。
【０１２９】
ΔOC2_MM＝θC2_HM*(b2-b2_HM)
θC2_HM＝ΔOC2_LM/(b2_LM-b2_HM)
図１０（ｂ）のように、第一の中心軌道３３と、第二の中心軌道３４（縮小率が小さい場合）を一致させるようにガンアライメントコイルを調整すると、電子源の仮想的な移動量OG_ALとΔOC2_LMには次式で表される関係がある。
【０１３０】
ΔOC2_LM=OG_AL*MC_LM
一方、ガンアライメントコイルの調整後では、任意のb2_MMにある集束点の移動量ΔOC2_MMは、このときの集束レンズの縮小率をMC_MMとすると以下の式で表される。
【０１３１】
ΔOC2_MM=OG_AL*MC_MM
そこで、このときの移動量ΔOC2_MMとΔOC2_MMを一致させるように、縮小率MC_MMと集束点OC2_MMを調整することで、任意の縮小率に対しても光軸ずれを抑制することができる。換言すると、第一の中心軌道３３、第二の中心軌道３４、第三の中心軌道４０のそれぞれがほぼ一致することとなる。
【０１３２】
上記４つの式より、ΔOC2_MM＝ΔOC2_MMとなる縮小率MC_MMは次式で表される。
【０１３３】
MC_MM=MC_LM*(b2_MM-b2_HM)/(b2_LM-b2_HM)
第一集束レンズ７と第二集束レンズ８の励磁を、それぞれ相互に調整することで、集束点を保ちつつ縮小率を変化させることや、その逆（縮小率を保ちつつ集束点を変化させる）が可能であるため、任意のMC_MMについて、上記のような光軸ずれの抑制が可能になる。
【０１３４】
図１１に、実施例１および２で示した手法における、集束レンズの縮小率を変化させたときに発生する光軸ずれのシミュレーション結果を示す。実施例１の手法でも光軸ずれを抑制することができるが、実施例２の場合では、実施例１よりさらに光軸ずれを抑制できている。実施例２の場合、縮小率を変化させた場合でも、光軸ずれ量はほぼ一定に保たれている。
【０１３５】
実施例１の場合に最も光軸ずれが大きい縮小率（０．１倍〜０．１２倍前後）で、実施例１と実施例２を比較すると、実施例２の光軸ずれは、実施例１より約１／２０になっている。
【０１３６】
なお、本実施例ではb2_HM≦b2_MM≦b2_LMの任意の位置b2_MMに、第二集束レンズ８の集束点OC2_MMがある場合を説明したが、b2_HM＞b2_MMであってもよいし、b2_MM＞b2_LMであってもよい。
【実施例３】
【０１３７】
実施例１や２で説明した調整手法は、第一の中心軌道３３の情報を把握し、縮小率が小さいときにガンアライメントコイルを調整するといった順序が重要となる。本実施例では、オペレータが容易に、望ましい順序に従った調整が可能になる方法について説明する。以下、これまでの実施例との相違点を中心に説明する。
【０１３８】
本実施例では、ＳＴＥＰ６０２〜６０５で示した三つの代表的な調整手法のうち、図７を用いて説明した、円形像３７の中心３８を画像全体の中心３９に移動させる手法で調整する場合について説明する。ただし、その他の手法においても、本実施例で示す思想を適用することが可能である。
【０１３９】
フィラメント１を交換した際や、オペレータが光学条件変更の際の光軸ずれに気づいた場合、オペレータは入力手段３１を介して、コンピュータ２８に調整の開始を指示することができる。コンピュータ２８は、オペレータから調整の開始の指示を受けると、図１２のフローに沿って処理を開始する。
【０１４０】
図１２の処理フローについて以下に詳細に説明する。
【０１４１】
ＳＴＥＰ１２０１：調整を行う前は、オペレータは任意の条件で試料を観察している。そのため、本実施例による調整を行う際は、調整に適した光学条件に設定することが望ましい。
【０１４２】
本実施例では、図７で説明した、円形像３７による調整手法を用いる。円形像３７を得るため、コンピュータ２８は、一次電子ビーム４が対物レンズ１３内を走査するように設定する。
【０１４３】
また、図７で説明した手法では、集束レンズの縮小率が大きい状態から調整を開始する。そこでコンピュータ２８は、第一集束レンズ制御回路２１、第二集束レンズ制御回路２２などに指示を出し、集束レンズの縮小率を大きく設定する。
【０１４４】
このときに表示される円形像３７の明るさは、調整前の条件により変わってしまう。コンピュータ２８は、信号制御回路２６を通じ、円形像３７の明るさを、調整に最適な明るさに設定する。
【０１４５】
ＳＴＥＰ１２０１では、上記の各設定の他にも、装置内部の真空度、一次電子ビーム４の焦点位置および／または試料１４の位置などの種々のパラメータについて設定するものとしてよい。
【０１４６】
ＳＴＥＰ１２０２：コンピュータ２８は、表示装置２９に、図１３（ａ）の画像を表示する。円形像３７の中心３８は対物レンズの中心（光軸３２）を表している。画像全体の中心３９は、一次電子ビーム４の中心（第一の中心軌道３３）を表している。この画面には、Ｘスライダーバー４１と、Ｙスライダーバー４２が設けられている。
【０１４７】
オペレータがＸスライダーバー４１および／またはＹスライダーバー４２を操作すると、コンピュータ２８は、アライナー制御回路２３もしくはガンアライメント制御回路２０などに指示を出し、一次電子ビーム４の中心位置を移動させる。このときの移動量は、Ｘスライダーバー４１および／またはＹスライダーバー４２の指定値に応じて決定される。
【０１４８】
なお、一次電子ビーム４の中心位置を移動させる手段は、スライダーバーに限らない。たとえば、制御回路への入力値や、アライナー１０などの電流値などを直接入力するものとしてもよい。入力値を増減させるボタンなどを設けてもよい。ハードウェアとして、トラックボールや十字キーなどのコントローラーを備え、コントローラーからの入力に応じて、一次電子ビーム４の中心位置を移動させるものとしてもよい。その他、種々の構成が可能である。
【０１４９】
また、この画面には、オペレータの便宜のため、リセットボタン４３を設けてもよい。オペレータがリセットボタン４３を押下することにより、コンピュータ２８は、Ｘスライダーバー４１およびＹスライダーバー４２に応じた一次電子ビーム４の移動をリセットするよう、各構成要素を制御する（各スライダーバーが中央に戻る）。
【０１５０】
ＳＴＥＰ１２０３：コンピュータ２８は、Ｘスライダーバー４１およびＹスライダーバー４２による制御対象を、アライナー制御回路２３（を介したアライナー１０）に設定する。ＳＴＥＰ１２０３により、オペレータは、縮小率が大きい場合にアライナー１０を調整することが可能になる。
【０１５１】
ＳＴＥＰ１２０４：オペレータは、Ｘスライダーバー４１および／またはＹスライダーバー４２を用いて、光軸３２と、第一の中心軌道３３を一致させる（円形像３７の中心３８と、画像全体の中心３９を一致させる）。図１３（ｂ）は、これらが一致した際の表示装置２９上の表示である。中心を一致させた後、オペレータは次ステップ遷移ボタン４４を押下し、次のステップへ進む。
【０１５２】
ＳＴＥＰ１２０５：コンピュータ２８は、第一集束レンズ制御回路２１、第二集束レンズ制御回路２２などに指示を出し、集束レンズの縮小率を小さく設定する。縮小率の変化により、明るさ等も変化しうるため、コンピュータ２８は、明るさや、その他の光学条件設定もあわせて行う。
【０１５３】
ＳＴＥＰ１２０６：コンピュータ２８は、表示装置２９に、図１３（ｃ）の画面を表示する。Ｘスライダーバー４１、Ｙスライダーバー４２および／またはリセットボタン４３などの挙動は、ＳＴＥＰ１２０２で説明したものと同様である。
【０１５４】
ＳＴＥＰ１２０７：コンピュータ２８は、Ｘスライダーバー４１およびＹスライダーバー４２による制御対象を、ガンアライメント制御回路２０（を介した上段ガンアライメントコイル５や下段ガンアライメントコイル６）に設定する。ＳＴＥＰ１２０７により、オペレータは、縮小率が小さい場合にガンアライメントコイルを調整することが可能になる。
【０１５５】
なお、複数のガンアライメントコイルを備える場合は、オペレータはそれぞれのガンアライメントコイルについて調整しなければならない。そこで、複数のガンアライメントコイルを備える場合は、複数のガンアライメントコイルの制御比をあらかじめ決めておくことで、オペレータが調整するパラメータを減少させることが可能である。
【０１５６】
ＳＴＥＰ１２０８：オペレータは、Ｘスライダーバー４１およびＹスライダーバー４２を用いて、光軸３２と、第一の中心軌道３３を一致させる（円形像３７の中心３８と、画像全体の中心３９を一致させる）。図１３（ｄ）は、これらが一致した際の表示装置２９上の表示である。中心を一致させた後、オペレータは調整完了ボタン４５を押下し、光学条件を決定する。
【０１５７】
上記ステップにより調整することで、オペレータは容易に、望ましい順序に従って調整することができる。
【０１５８】
なお、ＳＴＥＰ１２０４において、円形像３７を任意の位置に移動し、ＳＴＥＰ１２０８における円形像３７の位置（縮小率が小さいときの円形像）をＳＴＥＰ１２０４で移動した円形像３７の位置（縮小率が大きいときの円形像の位置）に合うように操作するものとしても良い。「円形像を任意の位置に移動」とは、円形像を全く移動させない場合もある。
【実施例４】
【０１５９】
実施例４は、これまでの実施例で示した調整を、自動的に行う方法について説明する。以下、これまでの実施例との相違点を中心に説明する。
【０１６０】
図１４に、本実施例の調整方法のフローチャートを示す。以下、フローの詳細について説明する。
【０１６１】
ＳＴＥＰ１４０１：コンピュータ２８は、ＳＴＥＰ１２０１と同等の処理（ビーム走査条件、縮小率、明るさなどの設定）を行う。
【０１６２】
ＳＴＥＰ１４０２：実施例３に示した調整手法では、オペレータが画面表示を見ながら手動で調整する、ＳＴＥＰ１２０２が必要である。本実施例では、コンピュータ２８が自動で調整を行うため、ＳＴＥＰ１２０２に相当するステップは必ずしも必要ではない。そこでコンピュータ２８は、次のステップ（ＳＴＥＰ１４０３）の制御対象を、アライナー制御回路２３（を介したアライナー１０）に設定する。
【０１６３】
ＳＴＥＰ１４０３：コンピュータ２８は、ＳＴＥＰ１２０４に相当する処理である、光学条件の自動調整を行う。ＳＴＥＰ１４０２により、自動調整の際の制御対象は、アライナー制御回路２３となっている。
【０１６４】
自動調整は、円形像３７の中心３８の位置を画像処理により計測し、円形像３７の中心３８の位置により、アライナー制御回路２３への入力値を決定することなどで実現できる。自動調整の際、その他の既知の画像処理方法を用いてもよく、例えば円形像３７の重心位置を求める処理に置き換えてもよい。なお、便宜上「画像」処理と表現したが、表示装置２９に画像を表示する必要はない以上、処理の対象もまた画像化されている必要はない。コンピュータ２８は、検出器１７から、画像化されていない信号値を受け取り、その信号値からアライナー制御回路２３への入力値を決定してもよい。
【０１６５】
ＳＴＥＰ１４０４：コンピュータ２８は、ＳＴＥＰ１２０５と同等の処理（ビーム走査条件、縮小率、明るさなどの設定）を行う。
【０１６６】
ＳＴＥＰ１４０５：コンピュータ２８は、次のステップ（ＳＴＥＰ１４０６）の制御対象を、ガンアライメント制御回路２０（を介した上段ガンアライメントコイル５、下段ガンアライメントコイル６）に設定する。ＳＴＥＰ１４０２で説明したとおり、本実施例では、ＳＴＥＰ１２０６に相当するステップは、必ずしも必要ではない。
【０１６７】
ＳＴＥＰ１４０６：コンピュータ２８は、ＳＴＥＰ１２０８に相当する処理である、光学条件の自動調整を行う。ＳＴＥＰ１４０５により、自動調整の際の制御対象は、ガンアライメント制御回路２０となっている。
【０１６８】
実施例３は、オペレータが表示装置２９上の画像を見ながら、光学条件を調整するものである。本実施例では、実施例３のＳＴＥＰ１２０４及びＳＴＥＰ１２０８に相当するステップを自動で処理することで、オペレータが調整する手間を省くことができるほか、オペレータの技能に依らず安定した調整が可能となり、操作初心者であっても容易に調整を実施することが可能となる。
【０１６９】
なお、ＳＴＥＰ１４０３において、コンピュータ２８が円形像３７の位置を記憶手段３０に記録し、ＳＴＥＰ１４０６における円形像３７の中心３８の位置（縮小率が小さい場合）を、ＳＴＥＰ１４０３で記録した位置（縮小率が大きい場合）と一致するように処理するものとしても良い。
【０１７０】
以上、各実施例により本発明を説明したが、発明の要旨を変更しない範囲における、構成要素の置換、追加、削除や処理順序の入れ替えなどが可能である。
【符号の説明】
【０１７１】
１…フィラメント、２…ウェネルト、３…陽極、４…一次電子ビーム、５…上段ガンアライメントコイル、６…下段ガンアライメントコイル、７…第一集束レンズ、８…第二集束レンズ、９…対物絞り、１０…アライナー、１１…上段偏向コイル、１２…下段偏向コイル、１３…対物レンズ、１４…試料、１５…ステージ、１６…信号、１７…検出器、１８…増幅器、１９…高電圧制御回路、２０…ガンアライメント制御回路、２１…第一集束レンズ制御回路、２２…第二集束レンズ制御回路、２３…アライナー制御回路、２４…偏向制御回路、２５…対物レンズ制御回路、２６…信号制御回路、２７…ステージ制御回路、２８…コンピュータ、２９…表示装置、３０…記憶手段、３１…入力手段、３２…光軸、３３…第一の中心軌道、３４…第二の中心軌道、３５…主面、３６…仮想位置、３７…円形像、３８…円形像３７の中心、３９…画像全体の中心、４０…第三の中心軌道、４１…Ｘスライダーバー、４２…Ｙスライダーバー、４３…リセットボタン、４４…次ステップ遷移ボタン、４５…調整完了ボタン
【図１】
2020074294.tif 000003
【図２】
2020074294.tif 000004
【図３】
2020074294.tif 000005
【図４】
2020074294.tif 000006
【図５】
2020074294.tif 000007
【図６】
2020074294.tif 000008
【図７】
2020074294.tif 000009
【図８】
2020074294.tif 000010
【図９】
2020074294.tif 000011
【図１０】
2020074294.tif 000012
【図１１】
2020074294.tif 000013
【図１２】
2020074294.tif 000014
【図１３】
2020074294.tif 000015
【図１４】
2020074294.tif 000016